(57)【特許請求の範囲】
【請求項１】
自立型装置の転倒防止機構において、
前記自立型装置に取付けられた扉と、
前記扉に設けられ、該扉に対し、穴を介して取付可能なサポートブラケットと、
前記サポートブラケットに長穴を介して上下方向に摺動可能に取付けられたローラブラケットと、
前記サポートブラケットに対し前記ローラブラケットを下方向に付勢するスプリングと、前記ローラブラケットに取付けられたローラとを有し、
前記サポートブラケットは、前記ローラブラケットを取付けた状態で前記扉に取付け／取り外しされることを特徴とする自立型装置の転倒防止機構。
【請求項２】
自立型装置の転倒防止機構において、
前記自立型装置に取付けられた扉と、
前記扉に設けられた固定ストッパと、
前記固定ストッパに接するとともに該固定ストッパの反対側にテーパ部を設けた可動ストッパと、
前記可動ストッパのテーパ部に接するテーパ部を設けると共に、前記扉に対して穴を介して上下方向に移動して取付可能なサポートブラケットと、
前記サポートブラケットに長穴を介して上下方向に摺動可能に取付けられたローラブラケットと、
前記サポートブラケットに対し前記ローラブラケットを下方向に付勢するスプリングと、前記ローラブラケットに取付けられたローラとを有し、
前記サポートブラケットは、前記ローラブラケットを取付けた状態で前記扉から取付け／取り外し可能であって、前記固定ストッパと前記サポートブラケットのテーパ部の間に、前記可動ストッパのテーパ部を前記サポートブラケットのテーパ部に合わせ挿入することを特徴とする自立型装置の転倒防止機構。
【発明の詳細な説明】
【０００１】
【発明の属する技術分野】
本発明は、扉を有する自立型装置において、扉の開閉時床からの衝撃を緩和して、開閉を確実にすると共に床に傷つけるのを防止する機構に関するものである。
【０００２】
【従来の技術】
例えば、従来、図７及び図８に示すように扉２を有する自立型装置１がある。この種の自立型装置１は、保守等の目的で右側の支点３を中心に扉２を開いて、図示せぬ収納されているユニット等を引き出すと、装置全体の重心がずれて転倒する恐れがあるため、扉２の下部にローラ５を設けて扉２を支持し転倒するのを防止していた。ローラ５は、ローラブラッケト４に取付けられ、ローラブラッケト４は小判穴６、ネジ７により扉に上下方向に調整可能に取付けられている。
【０００３】
【発明が解決しようとする課題】
しかしながら、上記構成の自立型装置１の扉２を開閉する場合、自立型装置１を設置した床に凹凸部や傾斜等があると、扉２に取付けられたローラ３は、床に接しなかったり、また、床からの反力による振動や衝撃を受ける。これにより装置全体の重心がずれて不安定になり転倒したりした。また、扉２を開閉する際の抵抗が大きく開閉しにくくなったり、極端な場合、床に傷をつけたりした。さらに、ローラブラッケト４を固定しているねじ７が緩んで機能しなくなり確実に開閉することが出来ない。という問題があった。
【０００４】
本発明は、このような従来の問題に鑑みてなされたものであり、床に凹凸部や傾斜等があっても、扉の開閉時の床からの振動や衝撃を緩和して、開閉を容易にすることにより、床を傷つけたりねじ緩みを防止する機構を提供することを目的としている。
【０００５】
【課題を解決するための手段】
本発明は、上述したような課題を解決して、上記の目的を達成するために、自立型装置の転倒防止機構において、前記自立型装置に取付けられた扉と、前記扉に設けられ、該扉に対して上下方向に移動して取付可能なサポートブラケットと、前記サポートブラケットに上下方向に摺動可能に取付けられたローラブラケットと、前記サポートブラケットに対し前記ローラブラケットを下方向に付勢するスプリングと、前記ローラブラケットに取付けられたローラとを有することを特徴としている。
【０００６】
また、自立型装置の転倒防止機構において、前記自立型装置に取付けられた扉と、前記扉に設けられた固定ストッパと、前記固定ストッパに接するとともに該固定ストッパの反対側にテーパ部を設けた可動ストッパと、前記可動ストッパのテーパ部に接するテーパ部を設けるとともに、前記扉に対して上下方向に移動して取付可能なサポートブラケットと、前記サポートブラケットに上下方向に摺動可能に取付けられたローラブラケットと、前記サポートブラケットに対し前記ローラブラケットを下方向に付勢するスプリングと、前記ローラブラケットに取付けられたローラとを有し、前記固定ストッパと前記サポートブラケットのテーパ部の間に、前記可動ストッパのテーパ部を前記サポートブラケットのテーパ部に合わせ挿入することを特徴としている。
【０００７】
【発明の実施の形態】
以下、本発明の自立型装置の転倒防止機構ついて、詳細を図面を用いて説明する。なお、第１、第２の実施の形態及び従来技術において、同一の構成には同一の符号を付す。
【０００８】
〔第１の実施の形態〕
図１は第１の実施の形態の自立型装置の転倒防止機構を示す斜視図、図２は第１の実施の形態の自立型装置の転倒防止機構の要部の正面図、図３は図２の側面図である。
【０００９】
図１〜図３において、１は自立型装置である。２は扉で、右側の支点３を中心に開閉することができる。また、５は扉２を支持するローラである。１０は扉２に長穴１０ａ、ネジ１１にて取付けられたサポートブラケットである。サポートブラケット１０の上部の部分にはＬ字状の屈曲部１０ｃが形成され、この部分には穴１０ｄが設けられている。
【００１０】
ローラブラケット１２は両端を略コの字形に形成され、下部にはローラ５がシャフト１３により回転自在に取付けられている。また、上部にはＬ字状の屈曲部１２ａが形成され、該屈曲部１２ａにはポスト１２ｂが設けられ、ポスト１２ｂはサポートブラケット１０の穴１０ｄに嵌合している。ローラブラケット１２は上部に設けられたポスト１２ｂと中央部の長穴１２ｃをショルダカラー１４とねじ１５にて案内され上下動可能になっている。１６はポスト１２ａの回りに設けられサポートブラケット１０に対してローラブラケット１２を下側に付勢するスプリングである。
【００１１】
上述のように構成された自立型装置の転倒防止機構は、設置する時、自立型装置１の扉２を右側の支点３を中心に開閉して、床に凹凸部や傾斜等があっても扉２を支持するローラ５がスプリング１６にて常に床に接するように、サポートブラケット１０の小判穴１０ａ内に設けられたねじ１１にて固定する。
【００１２】
次に、動作について説明する。自立型装置１の扉２を右側の支点３を中心に開閉すると、床に凹凸部や傾斜等があっても、扉２を支持するローラ５がスプリング１６にて常に床に接するので、床からの反力による振動や衝撃をスプリング１６が吸収する。これにより装置全体の重心がずれることがなくなり、また、扉２を開閉する際の抵抗が少なくなる。
【００１３】
〔第２の実施の形態〕
図４は第２の実施の形態の自立型装置の転倒防止機構を示す斜視図、図５は第２の実施の形態の自立型装置の転倒防止機構の要部の正面図、図６は図５の側面図である。
【００１４】
図４〜図６において、１は自立型装置である。２は扉で、右側の支点３を中心に開閉することができる。また、５は扉２を支持するローラである。１０は扉２に長穴１０ａ、ネジ１１にて取付けられたサポートブラケットである。サポートブラケット１０の上部の一部分には、テーパ部１０ｂが形成されている。上部の他の部分にはＬ字状の屈曲部１０ｃが形成され、この部分には穴１０ｄが設けられている。
【００１５】
ローラブラケット１２は両端を略コの字形に形成され、下部にはローラ５がシャフト１３により回転自在に取付けられている。また、上部にはＬ字状の屈曲部１２ａが形成され、該屈曲部１２ａにはポスト１２ｂが設けられ、ポスト１２ｂはサポートブラケット１０の穴１０ｄに嵌合している。ローラブラケット１２は上部に設けられたポスト１２ｂと中央部の長穴１２ｃをショルダカラー１４とねじ１５にて案内され上下動可能になっている。１６はポスト１２ａの回りに設けられサポートブラケット１０に対してローラブラケット１２を下側に付勢するスプリングである。
【００１６】
１７は長穴１７ａとねじ１８により左右方向に移動可能に取付けられ、下部に設けたテーパ部を左右に平行移動する可動ストッパである。１９は可動ストッパの上方に扉２に設けられた固定ストッパである。
【００１７】
上述のように構成された自立型装置の転倒防止機構は、設置する時、自立型装置１の扉２を右側の支点３を中心に開閉して、床に凹凸部や傾斜等があっても扉２を支持するローラ５がスプリング１６にて常に床に接するように、サポートブラケット１０の小判穴１０ａ内に設けられたねじ１１にて固定する。次に前記固定ストッパと前記サポートブラケットのテーパ部の間に、上部を固定ストッパに接し、下部をサポートブラケット１０の上部に設けられたテーパ部に左右に移動して合わせ可動ストッパ１７を挿入してねじ１８にて固定する。
【００１８】
次に、動作について説明する。自立型装置１の扉２を右側の支点３を中心に開閉すると、床に凹凸部や傾斜等があっても、扉２を支持するローラ５がスプリング１６にて常に床に接するので、床からの反力による振動や衝撃をスプリング１６が吸収する。さらに、固定ストッパとサポートブラケットのテーパ部の間に、上部を固定ストッパに接し、下部をサポートブラケット１０の上部に設けられたテーパ部に合わせ可動ストッパ１７を挿入してねじ１８にて固定する。これにより、サポートブラッケト１０を固定しているネジ１１が緩むことがない。
【００１９】
【発明の効果】
以上述べたように、第１の実施の形態によれば、床に凹凸部や傾斜等があっても、扉の開閉時の振動や衝撃を緩和して、転倒や扉の開閉を容易にして床を傷つけたりするのを防止する。さらに、第２の実施の形態によれば、ネジの緩みを防止して確実に開閉することができる。
【図面の簡単な説明】
【図１】第１の実施の形態の自立型装置の転倒防止機構の斜視図である。
【図２】第１の実施の形態の自立型装置の転倒防止機構の要部の正面図である。
【図３】図２の側面図である。
【図４】第２の実施の形態の自立型装置の転倒防止機構の斜視図である。
【図５】第２の実施の形態の自立型装置の転倒防止機構の要部の正面図である。
【図６】図５の側面図である。
【図７】従来例の自立型装置図の斜視図である。
【図８】従来例の自立型装置の転倒防止機構の斜視図である。
【符号の説明】
１ 自立型装置
２  扉
５  ローラ
１０  サポートブラケット
１０ａ  長穴
１０ｂ  テーパ部
１０ｃ  屈曲部
１０ｄ  穴
１１  ねじ
１２ ローラブラケット
１２ａ  Ｌ字状の屈曲部
１２ｂ  ポスト
１２ｃ  長穴
１３ シャフト
１４ ショルダカラー
１５ ねじ
１６ スプリング
１７ 可動ストッパ
１７ａ  長穴
１８ ねじ
１９  固定ストッパ
【図１】
0003947331.tif 000002
【図２】
0003947331.tif 000003
【図３】
0003947331.tif 000004
【図４】
0003947331.tif 000005
【図５】
0003947331.tif 000006
【図６】
0003947331.tif 000007
【図７】
0003947331.tif 000008
【図８】
0003947331.tif 000009